(57)【要約】【課題】部品点数を削減でき、小型化を図ることができるステータおよび当該ステータを備えたモータを提供する。【解決手段】ステータ１は、隣り合う巻回部１３Ｕ，１３Ｖ，１３Ｗから軸方向に引き出された一対の第１部分１５Ｕ，１５Ｖ，１５Ｗと、一対の第１部分１５Ｕ，１５Ｖ，１５Ｗから径方向外側に向けて環状端面５上に引き出された一対の第２部分１６Ｕ，１６Ｖ，１６Ｗと、周方向に沿って環状端面５上を延びる第３部分１７Ｕ，１７Ｖ，１７Ｗとを含む渡り線部１４Ｕ，１４Ｖ，１４Ｗを有している。環状部２と各相のティース部３Ｕ，３Ｖ，３Ｗとの嵌合部ＰＵ，ＰＶ，ＰＷは、当該相に対応し、かつ周方向に対向する渡り線部１４Ｕ，１４Ｖ，１４Ｗの間に配置されていると共に、径方向において当該相に対応する巻回部１３Ｕ，１３Ｖ，１３Ｗと、当該相とは異なる相の第３部分１７Ｕ，１７Ｖ，１７Ｗとの間に配置されている。【選択図】図３
2017201855.tif 000002
【特許請求の範囲】
【請求項１】
複数相の巻線を有するステータであって、
円環状の環状部と、
前記環状部の内周面に凹凸嵌合された複数のティース部とを含み、
各相の前記巻線は、前記複数のティース部のうち当該相に対応するティース部に巻回された複数の巻回部と、当該相に対応する巻回部のうちの互いに隣り合う巻回部同士を接続する渡り線部とを含み、
各相の前記渡り線部は、
前記互いに隣り合う巻回部それぞれの一端から前記環状部の軸方向の一方側に沿って前記環状部の端面よりも前記軸方向の一方側まで引き出された一対の第１部分と、
前記一対の第１部分のそれぞれから前記環状部の径方向外側に向けて引き出され、前記環状部の端面から前記軸方向の一方側に間隔を空けて配置された一対の第２部分と、
前記一対の第２部分を接続するように前記環状部の周方向に沿って延び、前記環状部の端面から前記軸方向の一方側に間隔を空けて配置された第３部分とを含み、
各相の前記ティース部と前記環状部との嵌合部は、前記軸方向から見て、前記環状部の周方向において、当該相に対応し、かつ互いに隣り合う前記渡り線部間に配置されていると共に、前記環状部の径方向において、当該相に対応する前記巻回部と、当該相に対応する前記ティース部よりも径方向外側を通り、かつ当該相とは異なる相の前記渡り線部の前記第３部分との間に配置されていることを特徴とする、ステータ。
【請求項２】
各相の前記一対の第１部分は、当該相とは異なる相の前記一対の第１部分と異なる長さに設定されており、
前記複数相の渡り線部の前記一対の第２部分および前記第３部分は、前記一対の第１部分の長さが短い順に、前記環状部の前記端面に前記軸方向において対向する位置に配置されていることを特徴とする、請求項１に記載のステータ。
【請求項３】
前記軸方向に互いに隣り合う前記複数相の渡り線部の前記第３部分間に配置された絶縁体をさらに含むことを特徴とする、請求項１または２に記載のステータ。
【請求項４】
前記複数相の巻線は、それぞれが１本の金属線で形成されており、
前記複数相の巻線の接続形態が、Ｙ結線とされていることを特徴とする、請求項１〜３のいずれか一項に記載のステータ。
【請求項５】
請求項１〜４のいずれか一項に記載のステータと、
前記ステータの径方向内側に配置されたロータとを含むことを特徴とする、モータ。
【発明の詳細な説明】
【技術分野】
【０００１】
本発明は、ステータおよび当該ステータを備えたモータに関する。
【背景技術】
【０００２】
特許文献１には、ステータの一例としてのステータコアが開示されている。このステータコアは、環状のヨーク（環状部）と、ヨークの内周部に等間隔に設けられた凹部に嵌合される複数のティース（ティース部）とを含む。係るステータコアにおいて、複数のティースには、Ｕ相巻線が巻回され、９０度ずつ角度が異なるように等間隔に配置された４つのＵ相ティースを有するＵ相グループと、Ｖ相巻線が巻回され、９０度ずつ角度が異なるように等間隔に配置された４つのＶ相ティースを有するＶ相グループとが含まれる。
【０００３】
Ｕ相グループにおいて、各Ｕ相ティースは、その上半分が第１インシュレータにより被覆されており、その下半分が第３インシュレータにより被覆されている。第１インシュレータは、ヨークの径方向内側に配置される環状の第１渡り線ガイド部と、第１渡り線ガイド部の外周部に等間隔に設けられ、各Ｕ相ティースの上半分を被覆する４つの第１巻線部とを有している。Ｕ相巻線は、第１インシュレータの第１巻線部および第３インシュレータを介して各Ｕ相ティースに巻回された集中巻き部分（巻回部）と、第１渡り線ガイド部を通して隣り合う集中巻き部分を接続する第１渡り線（渡り線部）とを含む。
【０００４】
同様に、Ｖ相グループにおいて、各Ｖ相ティースは、その上半分が第２インシュレータにより被覆されており、その下半分が第３インシュレータにより被覆されている。第２インシュレータは、ヨークの径方向内側に配置される環状の第２渡り線ガイド部と、第２渡り線ガイド部の外周部に等間隔に設けられ、各Ｖ相ティースの上半分を被覆する４つの第２巻線部とを有している。Ｖ相巻線は、第２インシュレータの第２巻線部および第３インシュレータを介して各Ｖ相ティースに巻回された集中巻き部分（巻回部）と、第２渡り線ガイド部を通して隣り合う集中巻き部分を接続する第２渡り線（渡り線部）とを含む。
【０００５】
Ｕ相グループは、Ｕ相巻線が各Ｕ相ティースに取り付けられた状態で、各Ｕ相ティースがヨークの軸方向一方側から当該ヨークの内周部の凹部に嵌合されることによって、当該ヨークに取り付けられる。Ｖ相グループは、Ｖ相巻線が各Ｖ相ティースに取り付けられた状態で、かつ、Ｕ相グループがヨークに取り付けられた状態で、各Ｖ相ティースがヨークの軸方向一方側から当該ヨークの内周部の凹部に嵌合されることによって、当該ヨークに取り付けられる。Ｕ相グループとＶ相グループとがヨークに取り付けられた状態において、Ｕ相グループの第１渡り線ガイド部と、Ｖ相グループの第２渡り線ガイド部とは、ヨークの径方向内側において当該ヨークの軸方向に互いに重なるように配置されている。
【先行技術文献】
【特許文献】
【０００６】
【特許文献１】国際公開第２０１３／１５７１０１号
【発明の概要】
【発明が解決しようとする課題】
【０００７】
特許文献１に開示されたステータでは、同一相のティースに巻回された巻回部を互いに接続させる渡り線部を引き回すために、複数の相毎に渡り線ガイド部を設けなければならないため、部品点数が増加するという課題がある。また、各渡り線ガイド部を環状部の軸方向一方側に重なり合うように配置する必要があり、ステータが軸方向に大型化するという課題もある。
【０００８】
そこで、本発明は、部品点数を削減でき、小型化を図ることができるステータおよび当該ステータを備えたモータを提供することを目的とする。
【課題を解決するための手段】
【０００９】
請求項１に記載の発明は、複数相の巻線（４Ｕ，４Ｖ，４Ｗ）を有するステータ（１）であって、円環状の環状部（２）と、前記環状部の内周面（７）に凹凸嵌合された複数のティース部（３Ｕ，３Ｖ，３Ｗ）とを含み、各相の前記巻線は、前記複数のティース部のうち当該相に対応するティース部に巻回された複数の巻回部（１３Ｕ，１３Ｖ，１３Ｗ）と、当該相に対応する巻回部のうちの互いに隣り合う巻回部同士を接続する渡り線部（１４Ｕ，１４Ｖ，１４Ｗ）とを含み、各相の前記渡り線部は、前記互いに隣り合う巻回部それぞれの一端から前記環状部の軸方向の一方側に沿って前記環状部の端面（５）よりも前記軸方向の一方側まで一対の第１部分（１５Ｕ，１５Ｖ，１５Ｗ）と、前記一対の第１部分のそれぞれから前記環状部の径方向外側に向けて引き出され、前記環状部の端面から前記軸方向の一方側に間隔を空けて配置された一対の第２部分（１６Ｕ，１６Ｖ，１６Ｗ）と、前記一対の第２部分を接続するように前記環状部の周方向に沿って延び、前記環状部の端面から前記軸方向の一方側に間隔を空けて配置された第３部分（１７Ｕ，１７Ｖ，１７Ｗ）とを含み、各相の前記ティース部と前記環状部との嵌合部（ＰＵ，ＰＶ，ＰＷ）は、前記軸方向から見て、前記環状部の周方向において、当該相に対応し、かつ互いに隣り合う前記渡り線部間に配置されていると共に、前記環状部の径方向において、当該相に対応する前記巻回部と、当該相に対応する前記ティース部よりも径方向外側を通り、かつ当該相とは異なる相の前記渡り線部の前記第３部分との間に配置されていることを特徴とする、ステータ（１）である。なお、括弧内の英数字は、後述の実施形態における対応構成要素等を表すが、特許請求の範囲を実施形態に限定する趣旨ではない。以下、この項において同じ。
【００１０】
請求項２に記載の発明は、各相の前記一対の第１部分は、当該相とは異なる相の前記一対の第１部分と異なる長さ（Ｌ１，Ｌ２，Ｌ３）に設定されており、前記複数相の渡り線部の前記一対の第２部分および前記第３部分は、前記一対の第１部分の長さが短い順に、前記環状部の前記端面側から前記軸方向において対向する位置に配置されていることを特徴とする、請求項１に記載のステータである。
【００１１】
請求項３に記載の発明は、前記軸方向に互いに隣り合う前記複数相の渡り線部の前記第３部分間に配置された絶縁体をさらに含むことを特徴とする、請求項１または２に記載のステータである。
請求項４に記載の発明は、前記複数相の巻線は、それぞれが１本の金属線で形成されており、前記複数相の巻線の接続形態が、Ｙ結線とされていることを特徴とする、請求項１〜３のいずれか一項に記載のステータである。
【００１２】
請求項５に記載の発明は、請求項１〜４のいずれか一項に記載のステータと、前記ステータの径方向内側に配置されたロータとを含むことを特徴とする、モータである。
【発明の効果】
【００１３】
請求項１に記載の発明によれば、環状部の端面上の空き領域を利用して各巻線の渡り線部が互いに干渉しないように配置されている。したがって、巻回部上の領域を横切るように渡り線部を引き回したり、環状部の径方向内側の領域内に渡り線部を引き回したりする必要がない。これにより、渡り線部を引き回すための部材を設けなくて済むから、部品点数を削減できると共に、小型化を図ることができるステータを提供できる。
【００１４】
また、請求項１に記載の発明によれば、分割型とされた複数のティース部が環状部の内周面に凹凸嵌合されている。そして、巻線の渡り線部は、環状部と複数のティース部との嵌合部を避けるように環状部の一方の端面上に配置されている。
このような構成のステータは、たとえば複数の巻回部および複数の巻回部間を接続する渡り線部を有する巻線を形成し、当該複数の巻回部の内側のそれぞれにティース部を挿通した後、当該ティース部を環状部の内周面に凹凸嵌合させることによって製造できる。ここで、巻線の渡り線部は、前述のとおり、環状部と複数のティース部との嵌合部を避けるように設けられているので、環状部と複数のティース部との凹凸嵌合の際に渡り線部が妨げになることはない。よって、部品点数が少なく小型化を図ることができるステータを容易に製造し、提供できる。
【図面の簡単な説明】
【００１５】
【図１】図１は、本発明の一実施形態に係るステータを示す斜視図である。
【図２】図２は、図１のステータの要部拡大斜視図である。
【図３】図３は、図１のステータの要部拡大平面図である。
【図４】図４は、図１のステータの製造方法の一工程を説明するための図であり、図４（ａ）は、Ｕ相巻線の正面図であり、図４（ｂ）は、Ｕ相巻線の斜視図である。
【図５】図５は、図４の後の工程を示す図であり、図５（ａ）は、Ｕ相巻線の正面図であり、図５（ｂ）は、Ｕ相巻線の斜視図である。
【図６】図６は、図５の後の工程を示す図であり、図６（ａ）は、Ｕ相巻線の正面図であり、図６（ｂ）は、Ｕ相巻線の斜視図である。
【発明を実施するための形態】
【００１６】
以下では、本発明の実施形態を添付図面を参照して詳細に説明する。
図１は、本発明の一実施形態に係るステータ１を示す斜視図である。図２は、図１のステータ１の要部拡大斜視図である。図３は、図１のステータ１の要部拡大平面図である。
本実施形態に係るステータ１は、その径方向内側にロータが配置されるインナーロータ型のモータ（たとえば三相ブラシレスモータ）に適用されるものである。ステータ１は、環状部２と、複数（本実施形態では１８個）のティース部（３Ｕ，３Ｖ，３Ｗ）と、複数相（本実施形態では３相）の巻線（４Ｕ，４Ｖ，４Ｗ）とを含む。
【００１７】
環状部２は、たとえば複数の電磁鋼板が積層された積層構造を有する円環状の部材であり、軸方向一方側に位置する一端に平坦な円環状の第１環状端面５を有し、軸方向他方側に位置する他端に平坦な円環状の第２環状端面６を有している。また、環状部２は、第１環状端面５および第２環状端面６の各内周縁を接続する内周面７と、第１環状端面５および第２環状端面６の各外周縁を接続する外周面８とを含む。環状部２の内周面７には、複数（本実施形態では１８個）の嵌合凹部９が周方向に沿って等間隔に形成されている。
【００１８】
各嵌合凹部９は、本実施形態では、環状部２の内周面７において第１環状端面５から第２環状端面６に至る溝状に形成されている。図３を参照して、各嵌合凹部９は、環状部２の軸方向から見た平面視（以下、単に「平面視」という。）において、環状部２の径方向内側から径方向外側に向かって、環状部２の周方向に沿う幅が徐々に広がるように形成されている。
【００１９】
複数のティース部には、複数（本実施形態では６個）のＵ相ティース部３Ｕと、複数（本実施形態では６個）のＶ相ティース部３Ｖと、複数（本実施形態では６個）のＷ相ティース部３Ｗとが含まれる。複数のＵ相ティース部３Ｕ、複数のＶ相ティース部３Ｖおよび複数のＷ相ティース部３Ｗは、環状部２の内周面７に規則的な順序で配置されている。より具体的には、複数のＵ相ティース部３Ｕ、複数のＶ相ティース部３Ｖおよび複数のＷ相ティース部３Ｗは、環状部２の周方向の一方向にＵ相→Ｖ相→Ｗ相となる配列順序で、かつ、当該配列順序を繰り返すように環状部２の内周面７に配置されている。
【００２０】
各ティース部３Ｕ，３Ｖ，３Ｗは、環状部２に取り付けられた分割型のティース部であり、たとえば複数の電磁鋼板が積層された積層構造を有している。本実施形態では、環状部２の軸方向において、各ティース部３Ｕ，３Ｖ，３Ｗは、環状部２の厚さとほぼ等しい厚さで形成されている。したがって、各ティース部３Ｕ，３Ｖ，３Ｗは、第１環状端面５および第２環状端面６とほぼ段差なく繋がるように環状部２の内周面７に取り付けられている。
【００２１】
各ティース部３Ｕ，３Ｖ，３Ｗは、ブロック状の本体部１０と、本体部１０における環状部２の径方向外側の端部に設けられた嵌合凸部１１と、本体部１０における環状部２の径方向内側の端部に設けられた張り出し部１２とを有している。
図３を参照して、各ティース部３Ｕ，３Ｖ，３Ｗの嵌合凸部１１は、本体部１０から径方向外側に向かって突出するように形成されており、平面視において、環状部２の径方向内側から径方向外側に向かって環状部２の周方向に沿う幅が徐々に広がるように形成されている。各ティース部３Ｕ，３Ｖ，３Ｗは、それらの嵌合凸部１１が第１環状端面５側から環状部２の嵌合凹部９に圧入されることによって、環状部２の内周面７に凹凸嵌合されている。
【００２２】
各ティース部３Ｕ，３Ｖ，３Ｗの張り出し部１２は、本体部１０から環状部２の周方向両側に張り出すように形成されている。各ティース部３Ｕ，３Ｖ，３Ｗの張り出し部１２は、後述する巻線４Ｕ，４Ｖ，４Ｗの各巻回部１３Ｕ，１３Ｖ，１３Ｗが各ティース部３Ｕ，３Ｖ，３Ｗの本体部１０から抜け落ちるのを抑制するための抜け落ち抑制部でもある。図２および図３を参照して、互いに隣り合う各ティース部３Ｕ，３Ｖ，３Ｗの張り出し部１２間の距離Ｄは、各巻線４Ｕ，４Ｖ，４Ｗの太さＴとの間に「距離Ｄ≦太さＴ」の関係式が成立する値に設定されていてもよい。
【００２３】
複数相の巻線には、Ｕ相巻線４Ｕ、Ｖ相巻線４ＶおよびＷ相巻線４Ｗが含まれる。各巻線４Ｕ，４Ｖ，４Ｗは、たとえば金属線の一例としての１本のマグネットワイヤによって形成されている。各巻線４Ｕ，４Ｖ，４Ｗは、複数のティース部３Ｕ，３Ｖ，３Ｗのうち当該相に対応するティース部３Ｕ，３Ｖ，３Ｗの本体部１０に巻回された複数の巻回部１３Ｕ，１３Ｖ，１３Ｗと、当該相に対応する巻回部１３Ｕ，１３Ｖ，１３Ｗのうちの互いに隣り合う巻回部１３Ｕ，１３Ｖ，１３Ｗ同士を接続する複数の渡り線部１４Ｕ，１４Ｖ，１４Ｗとを含む。
【００２４】
より具体的には、Ｕ相巻線４Ｕは、一対の端部を備え、それらの間に、Ｕ相ティース部３Ｕに巻回された複数（本実施形態では６個）のＵ相巻回部１３Ｕと、互いに隣り合うＵ相巻回部１３Ｕを接続する複数（本実施形態では５個）のＵ相渡り線部１４Ｕとを含む。
また、Ｖ相巻線４Ｖは、一対の端部を備え、それらの間に、Ｖ相ティース部３Ｖに巻回された複数（本実施形態では６個）のＶ相巻回部１３Ｖと、互いに隣り合うＶ相巻回部１３Ｖを接続する複数（本実施形態では５個）のＶ相渡り線部１４Ｖとを含む。
【００２５】
また、Ｗ相巻線４Ｗは、一対の端部を備え、それらの間に、Ｗ相ティース部３Ｗに巻回された複数（本実施形態では６個）のＷ相巻回部１３Ｗと、互いに隣り合うＷ相巻回部１３Ｗを接続する複数（本実施形態では５個）のＷ相渡り線部１４Ｗとを含む。
Ｕ相巻線４Ｕ、Ｖ相巻線４ＶおよびＷ相巻線４Ｗの各一方側の端部は、環状部２の外周面８よりも径方向外側に引き出されており、たとえば三相インバータ回路（図示せず）に接続可能とされている。つまり、Ｕ相巻線４Ｕ、Ｖ相巻線４ＶおよびＷ相巻線４Ｗの各一方側の端部は、環状部２の外周面８よりも径方向内側においてモータバスバーを介することなく三相インバータ回路に接続可能とされている。Ｕ相巻線４Ｕ、Ｖ相巻線４ＶおよびＷ相巻線４Ｗの各他方側の端部は、環状部２の第１環状端面５上または環状部２の外側（本実施形態では環状部２の外側）で電気的に接続されている。これによって、Ｕ相巻線４Ｕ、Ｖ相巻線４ＶおよびＷ相巻線４Ｗの接続形態が、Ｙ結線（スター結線）とされている。
【００２６】
Ｕ相巻線４ＵのＵ相渡り線部１４Ｕ、Ｖ相巻線４ＶのＶ相渡り線部１４ＶおよびＷ相巻線４ＷのＷ相渡り線部１４Ｗは、互いに干渉しないように、環状部２の径方向外側に引き出されており、かつ、環状部２の第１環状端面５上において当該第１環状端面５から軸方向に間隔を空けて配置されている。本実施形態では、第１環状端面５に最も近い位置にＵ相渡り線部１４Ｕが配置され、第１環状端面５から最も離れた位置にＷ相渡り線部１４Ｗが配置され、それらの間にＶ相渡り線部１４Ｖが配置された例について説明する。
【００２７】
本実施形態では、後述するように、まず、Ｕ相巻回部１３ＵにＵ相ティース部３Ｕが挿通された状態で、第１環状端面５側から環状部２の嵌合凹部９にＵ相ティース部３Ｕが圧入嵌合されて、Ｕ相ティース部３Ｕと共にＵ相巻線４Ｕが環状部２に取り付けられる。そして、Ｖ相巻線４ＶおよびＷ相巻線４Ｗの順に同様の工程が実行されて、Ｖ相ティース部３Ｖと共にＶ相巻線４Ｖが環状部２に取り付けられた後、Ｗ相ティース部３Ｗと共にＷ相巻線４Ｗが環状部２に取り付けられる。したがって、Ｕ相ティース部３Ｕ、Ｖ相ティース部３ＶおよびＷ相ティース部３Ｗと、Ｕ相渡り線部１４Ｕ、Ｖ相渡り線部１４ＶおよびＷ相渡り線部１４Ｗとが互いに干渉しない態様で、各相の巻線４Ｕ，４Ｖ，４Ｗが当該相に対応するティース部３Ｕ，３Ｖ，３Ｗと共に環状部２に取り付けられる。
【００２８】
つまり、Ｕ相渡り線部１４Ｕは、環状部２とＵ相ティース部３Ｕとの嵌合部ＰＵに加えて、その後に取り付けられるＶ相ティース部３Ｖと環状部２の嵌合部ＰＶおよびＷ相ティース部３Ｗと環状部２の嵌合部ＰＷを避けて配置される。また、Ｖ相渡り線部１４Ｖは、環状部２とＶ相ティース部３Ｖとの嵌合部ＰＶに加えて、少なくとも、その後に取り付けられるＷ相ティース部３Ｗと環状部２との嵌合部ＰＷを避けて配置される。また、Ｗ相渡り線部１４Ｗは、少なくとも、環状部２とＷ相ティース部３Ｗとの嵌合部ＰＷを避けて配置される。
【００２９】
本実施形態では、Ｕ相渡り線部１４Ｕ、Ｖ相渡り線部１４ＶおよびＷ相渡り線部１４Ｗの全てが、環状部２と各ティース部３Ｕ，３Ｖ，３Ｗとの嵌合部ＰＵ，ＰＶ，ＰＷを避けて配置されている。つまり、本実施形態に係るステータ１は、第１環状端面５に対するＵ相渡り線部１４Ｕ、Ｖ相渡り線部１４ＶおよびＷ相渡り線部１４Ｗの高さ位置が異なる点を除いてほぼ同様の形態とされたＵ相巻線４Ｕ、Ｖ相巻線４ＶおよびＷ相巻線４Ｗを有しており、それらが環状部２の周方向の一方向に所定の角度だけずれて配置された構成とされている。以下、Ｕ相渡り線部１４Ｕ、Ｖ相渡り線部１４ＶおよびＷ相渡り線部１４Ｗの具体的な構成について説明する。
【００３０】
周方向に互いに隣り合うＵ相巻回部１３Ｕを接続するＵ相渡り線部１４Ｕは、当該周方向に互いに隣り合うＵ相巻回部１３Ｕそれぞれの一端から環状部２の軸方向の一方側に沿って環状部２の第１環状端面５上まで引き出された一対の第１部分１５Ｕを含む。より具体的には、各Ｕ相巻回部１３Ｕは、周方向一方側の一端と、周方向他方側の他端（周方向他方側の一端）とを有しており、一対の第１部分１５Ｕは、周方向に互いに対向する一方のＵ相巻回部１３Ｕの一端と、他方のＵ相巻回部１３Ｕの他端とから引き出されている。なお、Ｕ相渡り線部１４Ｕの一対の第１部分１５Ｕとは、Ｕ相巻回部１３Ｕの一端から軸方向に引き出された部分のうち、環状部２の第１環状端面５を軸方向に横切って当該第１環状端面５上に位置する部分で定義される。
【００３１】
また、当該Ｕ相渡り線部１４Ｕは、一対の第１部分１５Ｕのそれぞれから環状部２の径方向外側に向けて引き出され、環状部２の第１環状端面５から軸方向の一方側に間隔を空けて配置された一対の第２部分１６Ｕを含む。また、当該Ｕ相渡り線部１４Ｕは、一対の第２部分１６Ｕを接続するように環状部２の周方向に沿って延び、環状部２の第１環状端面５から軸方向の一方側に間隔を空けて配置された第３部分１７Ｕを含む。
【００３２】
Ｕ相渡り線部１４Ｕの一対の第１部分１５Ｕは、周方向に互いに隣り合って設けられた環状部２およびＵ相ティース部３Ｕの嵌合部ＰＵ間に配置されており、Ｕ相巻回部１３Ｕから環状部２の第１環状端面５上まで環状部２の軸方向の一方側に沿って第１長さＬ１で引き出されている。
Ｕ相渡り線部１４Ｕの一対の第２部分１６Ｕは、環状部２とＵ相ティース部３Ｕとの嵌合部ＰＵを避けるように、一対の第１部分１５Ｕから環状部２の径方向外側に向かって第１環状端面５上に引き出されている。Ｕ相渡り線部１４Ｕの第３部分１７Ｕは、各ティース部３Ｕ，３Ｖ，３Ｗよりも環状部２の径方向外側に配置されており、その全体が環状部２の内周面７と外周面８との間の領域内に位置している。Ｕ相渡り線部１４Ｕの第３部分１７Ｕは、本実施形態では、環状部２とＶ相ティース部３Ｖとの嵌合部ＰＶの全体、および、環状部２とＷ相ティース部３Ｗとの嵌合部ＰＷの全体を避けるように、これらの径方向外側で周方向に沿って延びている。
【００３３】
周方向に互いに隣り合うＶ相巻回部１３Ｖを接続するＶ相渡り線部１４Ｖは、当該周方向に互いに隣り合うＶ相巻回部１３Ｖそれぞれの一端から環状部２の軸方向の一方側に沿って環状部２の第１環状端面５上まで引き出された一対の第１部分１５Ｖを含む。より具体的には、各Ｖ相巻回部１３Ｖは、周方向一方側の一端と、周方向他方側の他端（周方向他方側の一端）とを有しており、一対の第１部分１５Ｖは、周方向に互いに対向する一方のＶ相巻回部１３Ｖの一端と、他方のＶ相巻回部１３Ｖの他端とから引き出されている。なお、Ｖ相渡り線部１４Ｖの一対の第１部分１５Ｖとは、Ｖ相巻回部１３Ｖの一端から軸方向に引き出された部分のうち、環状部２の第１環状端面５を軸方向に横切って当該第１環状端面５上に位置する部分で定義される。
【００３４】
また、当該Ｖ相渡り線部１４Ｖは、一対の第１部分１５Ｖのそれぞれから環状部２の径方向外側に向けて引き出され、環状部２の第１環状端面５から軸方向の一方側に間隔を空けて配置された一対の第２部分１６Ｖを含む。また、当該Ｖ相渡り線部１４Ｖは、一対の第２部分１６Ｖを接続するように環状部２の周方向に沿って延び、環状部２の第１環状端面５から軸方向の一方側に間隔を空けて配置された第３部分１７Ｖを含む。
【００３５】
Ｖ相渡り線部１４Ｖの一対の第１部分１５Ｖは、周方向に互いに隣り合って設けられた環状部２およびＶ相ティース部３Ｖの嵌合部ＰＶ間に配置されており、Ｖ相巻回部１３Ｖから環状部２の第１環状端面５上まで環状部２の軸方向の一方側に沿って第２長さＬ２で引き出されている。Ｖ相渡り線部１４Ｖの一対の第１部分１５Ｖの第２長さＬ２は、Ｕ相渡り線部１４Ｕの一対の第１部分１５Ｕの第１長さＬ１よりも大きい値（Ｌ１＜Ｌ２）に設定されている。
【００３６】
Ｖ相渡り線部１４Ｖの一対の第２部分１６Ｖは、環状部２とＶ相ティース部３Ｖとの嵌合部ＰＶを避けるように、一対の第１部分１５Ｖから環状部２の径方向外側に向かって第１環状端面５上に引き出されている。Ｖ相渡り線部１４Ｖの第３部分１７Ｖは、各ティース部３Ｕ，３Ｖ，３Ｗよりも環状部２の径方向外側に配置されており、その全体が環状部２の内周面７と外周面８との間の領域内に位置している。Ｖ相渡り線部１４Ｖの第３部分１７Ｖは、本実施形態では、環状部２とＵ相ティース部３Ｕとの嵌合部ＰＵの全体、および、環状部２とＷ相ティース部３Ｗとの嵌合部ＰＷの全体を避けるように、これらの径方向外側で周方向に沿って延びている。
【００３７】
周方向に互いに隣り合うＷ相巻回部１３Ｗを接続するＷ相渡り線部１４Ｗは、当該周方向に互いに隣り合うＷ相巻回部１３Ｗそれぞれの一端から環状部２の軸方向の一方側に沿って環状部２の第１環状端面５上まで引き出された一対の第１部分１５Ｗを含む。より具体的には、各Ｗ相巻回部１３Ｗは、周方向一方側の一端と、周方向他方側の他端（周方向他方側の一端）とを有しており、一対の第１部分１５Ｗは、周方向に互いに対向する一方のＷ相巻回部１３Ｗの一端と、他方のＷ相巻回部１３Ｗの他端とから引き出されている。なお、Ｗ相渡り線部１４Ｗの一対の第１部分１５Ｗとは、Ｗ相巻回部１３Ｗの一端から軸方向に引き出された部分のうち、環状部２の第１環状端面５を軸方向に横切って当該第１環状端面５上に位置する部分で定義される。
【００３８】
また、当該Ｗ相渡り線部１４Ｗは、一対の第１部分１５Ｗのそれぞれから環状部２の径方向外側に向けて引き出され、環状部２の第１環状端面５から軸方向の一方側に間隔を空けて配置された一対の第２部分１６Ｗを含む。また、当該Ｗ相渡り線部１４Ｗは、一対の第２部分１６Ｗを接続するように環状部２の周方向に沿って延び、環状部２の第１環状端面５から軸方向の一方側に間隔を空けて配置された第３部分１７Ｗを含む。
【００３９】
Ｗ相渡り線部１４Ｗの一対の第１部分１５Ｗは、周方向に互いに隣り合って設けられた環状部２およびＷ相ティース部３Ｗの嵌合部ＰＷ間に配置されており、Ｗ相巻回部１３Ｗから環状部２の第１環状端面５上まで環状部２の軸方向の一方側に沿って第３長さＬ３で引き出されている。Ｗ相渡り線部１４Ｗの一対の第１部分１５Ｗの第３長さＬ３は、Ｕ相渡り線部１４Ｕの一対の第１部分１５Ｕの第１長さＬ１、および、Ｖ相渡り線部１４Ｖの一対の第１部分１５Ｖの第２長さＬ２よりも大きい値（Ｌ１＜Ｌ２＜Ｌ３）に設定されている。
【００４０】
Ｗ相渡り線部１４Ｗの一対の第２部分１６Ｗは、環状部２とＷ相ティース部３Ｗとの嵌合部ＰＷを避けるように、一対の第１部分１５Ｗから環状部２の径方向外側に向かって第１環状端面５上に引き出されている。Ｗ相渡り線部１４Ｗの第３部分１７Ｗは、各ティース部３Ｕ，３Ｖ，３Ｗよりも環状部２の径方向外側に配置されており、その全体が環状部２の内周面７と外周面８との間の領域内に位置している。Ｗ相渡り線部１４Ｗの第３部分１７Ｗは、本実施形態では、環状部２とＵ相ティース部３Ｕとの嵌合部ＰＵの全体、および、環状部２とＶ相ティース部３Ｖとの嵌合部ＰＶの全体を避けるように、これらの径方向外側で周方向に沿って延びている。
【００４１】
このように、各相の渡り線部１４Ｕ，１４Ｖ，１４Ｗの一対の第２部分１６Ｕ，１６Ｖ，１６Ｗおよび第３部分１７Ｕ，１７Ｖ，１７Ｗは、一対の第１部分１５Ｕ，１５Ｖ，１５Ｗの長さＬ１，Ｌ２，Ｌ３（Ｌ１＜Ｌ２＜Ｌ３）が短い順に、環状部２の第１環状端面５側から軸方向の一方側に間隔を空けて当該環状部２の第１環状端面５に対向する位置に配置されている。また、各相の渡り線部１４Ｕ，１４Ｖ，１４Ｗの第３部分１７Ｕ，１７Ｖ，１７Ｗは、いずれも、環状部２の周方向に沿う長さがほぼ同一とされており、平面視で互いに重なるように配置されている。なお、各相の渡り線部１４Ｕ，１４Ｖ，１４Ｗの第３部分１７Ｕ，１７Ｖ，１７Ｗは、環状部２の軸方向に等間隔に配置されていてもよい。
【００４２】
図２および図３を参照して、Ｖ相巻線４Ｖの第３部分１７ＶおよびＷ相巻線４Ｗの第３部分１７Ｗは、環状部２の径方向にＵ相巻回部１３Ｕと対向しており、環状部２の軸方向に間隔を空けて並んで配置されている。したがって、環状部２とＵ相ティース部３Ｕとの嵌合部ＰＵは、平面視で、環状部２の周方向において、互いに隣り合うＵ相渡り線部１４Ｕの間に配置されていると共に、環状部２の径方向において、Ｕ相巻回部１３Ｕと、Ｕ相ティース部３Ｕの径方向外側を通るＷ相巻線４Ｗの第３部分１７Ｗ（Ｖ相巻線４Ｖの第３部分１７Ｖ）との間に配置されている。
【００４３】
つまり、環状部２とＵ相ティース部３Ｕとの嵌合部ＰＵは、平面視において、Ｕ相巻回部１３Ｕと、Ｕ相巻回部１３Ｕから環状部２の径方向に引き出された２つの第２部分１６Ｕと、Ｗ相巻線４Ｗの第３部分１７Ｗ（Ｖ相巻線４Ｖの第３部分１７Ｖ）とによって区画された領域ＡＵ内に位置している。この領域ＡＵにおいて、環状部２とＵ相ティース部３Ｕとの嵌合部ＰＵの周方向に沿う最も広い部分の幅ＷＵ１は、２つの第２部分１６Ｕ間の周方向に沿う幅ＷＵ２よりも小さい値（ＷＵ１＜ＷＵ２）に設定されている。また、平面視において、環状部２とＵ相ティース部３Ｕとの嵌合部ＰＵの径方向に沿う幅ＷＵ３は、Ｕ相巻回部１３Ｕと、Ｗ相巻線４Ｗの第３部分１７Ｗ（Ｖ相巻線４Ｖの第３部分１７Ｖ）との間の径方向の幅ＷＵ４よりも小さい値（ＷＵ３＜ＷＵ４）に設定されている。
【００４４】
また、Ｕ相巻線４Ｕの第３部分１７ＵおよびＷ相巻線４Ｗの第３部分１７Ｗは、環状部２の径方向にＶ相巻回部１３Ｖと対向しており、環状部２の軸方向に間隔を空けて並んで配置されている。したがって、環状部２とＶ相ティース部３Ｖとの嵌合部ＰＶは、平面視で、環状部２の周方向において、互いに隣り合うＶ相渡り線部１４Ｖの間に配置されていると共に、環状部２の径方向において、Ｖ相巻回部１３Ｖと、Ｖ相ティース部３Ｖの径方向外側を通るＷ相巻線４Ｗの第３部分１７Ｗ（Ｕ相巻線４Ｕの第３部分１７Ｕ）との間に配置されている。
【００４５】
つまり、環状部２とＶ相ティース部３Ｖとの嵌合部ＰＶは、平面視において、Ｖ相巻回部１３Ｖと、Ｖ相巻回部１３Ｖから環状部２の径方向に引き出された２つの第２部分１６Ｖと、Ｗ相巻線４Ｗの第３部分１７Ｗ（Ｕ相巻線４Ｕの第３部分１７Ｕ）とによって区画されたＡＶ内に位置している。この領域ＡＶにおいて、環状部２とＶ相ティース部３Ｖとの嵌合部ＰＶの周方向に沿う最も広い部分の幅ＷＶ１は、２つの第２部分１６Ｕ間の周方向に沿う幅ＷＶ２よりも小さい値（ＷＶ１＜ＷＶ２）に設定されている。また、平面視において、環状部２とＶ相ティース部３Ｖとの嵌合部ＰＶの径方向に沿う幅ＷＶ３は、Ｖ相巻回部１３Ｖと、Ｗ相巻線４Ｗの第３部分１７Ｗ（Ｕ相巻線４Ｕの第３部分１７Ｕ）との間の径方向の幅ＷＶ４よりも小さい値（ＷＶ３＜ＷＶ４）に設定されている。
【００４６】
また、Ｕ相巻線４Ｕの第３部分１７ＵおよびＶ相巻線４Ｖの第３部分１７Ｖは、環状部２の径方向にＷ相巻回部１３Ｗと対向しており、環状部２の軸方向に間隔を空けて並んで配置されている。したがって、環状部２とＷ相ティース部３Ｗとの嵌合部ＰＷは、平面視で、環状部２の周方向において、互いに隣り合うＷ相渡り線部１４Ｗの間に配置されていると共に、環状部２の径方向において、Ｗ相巻回部１３Ｗと、Ｗ相ティース部３Ｗの径方向外側を通るＶ相巻線４Ｖの第３部分１７Ｖ（Ｕ相巻線４Ｕの第３部分１７Ｕ）との間に配置されている。
【００４７】
つまり、環状部２とＷ相ティース部３Ｗとの嵌合部ＰＷは、平面視において、Ｗ相巻回部１３Ｗと、Ｗ相巻回部１３Ｗから環状部２の径方向に引き出された２つの第２部分１６Ｗと、Ｖ相巻線４Ｖの第３部分１７Ｖ（Ｕ相巻線４Ｕの第３部分１７Ｕ）とによって区画された領域ＡＷ内に位置している。この領域ＡＷにおいて、環状部２とＷ相ティース部３Ｗとの嵌合部ＰＷの周方向に沿う最も広い部分の幅ＷＷ１は、２つの第２部分１６Ｗ間の周方向に沿う幅ＷＷ２よりも小さい値（ＷＷ１＜ＷＷ２）に設定されている。また、平面視において、環状部２とＷ相ティース部３Ｗとの嵌合部ＰＷの径方向に沿う幅ＷＷ３は、Ｗ相巻回部１３Ｗと、Ｖ相巻線４Ｖの第３部分１７Ｖ（Ｕ相巻線４Ｕの第３部分１７Ｕ）との間の径方向の幅ＷＷ４よりも小さい値（ＷＷ３＜ＷＷ４）に設定されている。
【００４８】
次に、図４〜図６を参照して、ステータ１の製造方法の一例について説明する。図４〜図６は、図１のステータ１の製造方法の一工程を説明するための図である。図４（ａ）〜図６（ａ）は、Ｕ相巻線４Ｕの正面図であり、図４（ｂ）〜図６（ｂ）は、Ｕ相巻線４Ｕの斜視図である。
まず、図４（ａ），（ｂ）を参照して、円環状のＵ相巻線４Ｕが形成される。Ｕ相巻線４Ｕは、一対の端部を備え、それらの間に、複数（本実施形態では６個）のＵ相巻回部１３Ｕと、互いに隣り合うＵ相巻回部１３Ｕを接続する複数（本実施形態では５個）のＵ相渡り線部１４Ｕとを有している。複数のＵ相巻回部１３Ｕは、Ｕ相巻線４Ｕの周方向に沿って等間隔に設けられている。
【００４９】
Ｕ相渡り線部１４Ｕは、互いに隣り合うＵ相巻回部１３Ｕのそれぞれから軸方向の一方側に沿って第１長さＬ１で引き出された一対の第１部分１５Ｕと、当該一対の第１部分１５ＵのそれぞれからＵ相巻線４Ｕの径方向外側に向けて引き出された一対の第２部分１６Ｕと、一対の第２部分１６Ｕ同士を接続し、かつ、Ｕ相巻線４Ｕの周方向に沿って延びる第３部分１７Ｕとを有している。
【００５０】
次に、図５（ａ），（ｂ）を参照して、Ｕ相ティース部３Ｕが、Ｕ相巻線４Ｕの径方向内側から各Ｕ相巻回部１３Ｕの内側に挿通される。Ｕ相ティース部３Ｕは、ブロック状の本体部１０と、本体部１０の一方側端部に形成された嵌合凸部１１と、嵌合凸部１１とは反対側に位置する本体部１０の他方側端部に形成され、当該本体部１０の側方に張り出す張り出し部１２とを有している。
【００５１】
各Ｕ相ティース部３Ｕは、嵌合凸部１１が、Ｕ相巻線４Ｕの径方向内側からＵ相巻回部１３Ｕの内側に挿通される。各Ｕ相ティース部３ＵがＵ相巻回部１３Ｕの内側に挿通された状態において、各Ｕ相ティース部３Ｕの嵌合凸部１１は、Ｕ相巻線４Ｕの周方向において２つの第２部分１６Ｕの間に配置されていると共に、Ｕ相巻線４Ｕの径方向においてＵ相巻回部１３Ｕと第３部分１７Ｕとの間に配置されている。一方、各Ｕ相ティース部３Ｕの張り出し部１２は、Ｕ相巻線４Ｕの周方向両側に引き出されている。
【００５２】
次に、図６（ａ），（ｂ）を参照して、第１環状端面５および第２環状端面６を有し、その内周面７に複数（本実施形態では１８個）の嵌合凹部９が周方向に沿って形成された環状部２の嵌合凹部９に、Ｕ相巻線４ＵのＵ相巻回部１３Ｕに挿通された状態で、Ｕ相ティース部３Ｕの嵌合凸部１１が圧入によって凹凸嵌合される。
環状部２にＵ相巻線４Ｕが取り付けられた後、Ｖ相巻線４ＶについてＵ相巻線４Ｕと同様の工程が実行されて、Ｖ相巻線４ＶのＶ相巻回部１３Ｖの内側に挿通された状態で、Ｖ相ティース部３Ｖが環状部２の嵌合凹部９に凹凸嵌合される。Ｖ相巻線４Ｖは、前述のように、第１部分１５Ｖの第２長さＬ２が、Ｕ相巻線４Ｕの第１部分１５Ｕの第１長さＬ１よりも大きい値（Ｌ１＜Ｌ２）に設定されている点を除いて、Ｕ相巻線４Ｕとほぼ同様の構成を有している。Ｖ相巻線４Ｖは、Ｕ相巻線４Ｕや、環状部２および各ティース部３Ｕ，３Ｖ，３Ｗの嵌合部ＰＵ，ＰＶ，ＰＷと干渉しない態様で環状部２に取り付けられる。
【００５３】
また、環状部２にＶ相巻線４Ｖが取り付けられた後、Ｗ相巻線４ＷについてＵ相巻線４ＵおよびＶ相巻線４Ｖと同様の工程が実行されて、Ｗ相巻線４ＷのＷ相巻回部１３Ｗの内側に挿通された状態で、Ｗ相ティース部３Ｗが環状部２の嵌合凹部９に凹凸嵌合される。Ｗ相巻線４Ｗは、第１部分１５Ｗの第３長さＬ３が、Ｕ相巻線４ＵおよびＶ相巻線４Ｖの各第１部分１５Ｕ，１５Ｖの長さＬ１，Ｌ２よりも大きい値（Ｌ１＜Ｌ２＜Ｌ３）に設定されている点を除いて、Ｕ相巻線４ＵおよびＶ相巻線４Ｖとほぼ同様の構成を有している。Ｗ相巻線４Ｗは、Ｕ相巻線４ＵおよびＶ相巻線４Ｖや、環状部２および各ティース部３Ｕ，３Ｖ，３Ｗの嵌合部ＰＵ，ＰＶ，ＰＷと干渉しない態様で環状部２に取り付けられる。このようにして、ステータ１が製造される。
【００５４】
以上、本実施形態に係るステータ１では、環状部２の第１環状端面５上の空き領域を利用して各巻線４Ｕ，４Ｖ，４Ｗの渡り線部１４Ｕ，１４Ｖ，１４Ｗが互いに干渉しないように配置されている。したがって、巻回部１３Ｕ，１３Ｖ，１３Ｗ上の領域を横切るように渡り線部１４Ｕ，１４Ｖ，１４Ｗを引き回したり、環状部２の径方向内側に渡り線部１４Ｕ，１４Ｖ，１４Ｗを引き回したりする必要がない。これにより、渡り線部１４Ｕ，１４Ｖ，１４Ｗを引き回すための部材を設けなくて済むから、部品点数を削減できると共に、小型化を図ることができるステータ１を提供できる。
【００５５】
また、本実施形態に係るステータ１では、分割型とされた複数のティース部３Ｕ，３Ｖ，３Ｗが環状部２の内周面７に凹凸嵌合されている。そして、巻線４Ｕ，４Ｖ，４Ｗの渡り線部１４Ｕ，１４Ｖ，１４Ｗは、環状部２と各ティース部３Ｕ，３Ｖ，３Ｗとの嵌合部ＰＵ，ＰＶ，ＰＷを避けるように環状部２の第１環状端面５上に配置されている。したがって、渡り線部１４Ｕ，１４Ｖ，１４Ｗが、環状部２とティース部３Ｕ，３Ｖ，３Ｗとの凹凸嵌合の工程の際に妨げになることはない。
【００５６】
しかも、本実施形態に係るステータ１では、予め形成された巻回部１３Ｕ，１３Ｖ，１３Ｗの内側にティース部３Ｕ，３Ｖ，３Ｗを挿通するという工程を経ることができる。したがって、複数のティース部３Ｕ，３Ｖ，３Ｗ間に本来設定されるべき巻線機ノズルの通過スペースを考慮する必要がなくなる。これにより、巻回部１３Ｕ，１３Ｖ，１３Ｗにおいて巻き数を増加させることができるから、環状部２の内側に占める巻回部１３Ｕ，１３Ｖ，１３Ｗの占有率を向上できる。よって、部品点数が少なく小型でありながらも高出力なステータ１を容易に製造し提供できる。
【００５７】
さらに、本実施形態に係るステータ１では、Ｕ相巻線４Ｕ、Ｖ相巻線４ＶおよびＷ相巻線４Ｗの各一方側の端部は、環状部２の外周面８よりも径方向内側においてモータバスバーを介することなく三相インバータ回路に接続可能とされている。したがって、バスバーレスによる小型化を良好に図ることができるステータ１を提供できる。
以上、本発明の実施形態について説明したが、本発明はさらに他の形態で実施することもできる。
【００５８】
たとえば、前述の実施形態では、各相の渡り線部１４Ｕ，１４Ｖ，１４Ｗの第３部分１７Ｕ，１７Ｖ，１７Ｗが、環状部２の軸方向に互いに間隔を空けて配置された例について説明した。この形態において、各相の渡り線部１４Ｕ，１４Ｖ，１４Ｗの第３部分１７Ｕ，１７Ｖ，１７Ｗの間に、これらの間の間隔を保持するための絶縁体を配置してもよい。この絶縁体を配置することにより、振動等によって各相渡り線部１４Ｕ，１４Ｖ，１４Ｗの第３部分１７Ｕ，１７Ｖ，１７Ｗの間の間隔が変動するのを効果的に抑制できるから、ステータ１の信頼性を一段と向上させることができる。むろん、このような絶縁体は、環状部２の第１環状端面５と、当該第１環状端面５に近接配置されたＵ相渡り線部１４Ｕの第３部分１７Ｕとの間に配置されてもよい。
【００５９】
このような絶縁体は、たとえば、各相巻線４Ｕ，４Ｖ，４Ｗが環状部２に装着された後、絶縁材料からなる部材（たとえば樹脂製の部材）を各相渡り線部１４Ｕ，１４Ｖ，１４Ｗの第３部分１７Ｕ，１７Ｖ，１７Ｗの間に配置することによって形成できる。また、このような絶縁体は、たとえば、各相巻線４Ｕ，４Ｖ，４Ｗが環状部２に取り付けられた後、モールド成形法により、各相渡り線部１４Ｕ，１４Ｖ，１４Ｗの第３部分１７Ｕ，１７Ｖ，１７Ｗおよびこれらの間を樹脂で封止することによっても形成できる。
【００６０】
また、前述の実施形態では、各相巻線４Ｕ，４Ｖ，４Ｗが形成された後、各相巻線４Ｕ，４Ｖ，４Ｗの巻回部１３Ｕ，１３Ｖ，１３Ｗの内側に当該相に対応するティース部３Ｕ，３Ｖ，３Ｗが挿通される例について説明した。しかし、各相のティース部３Ｕ，３Ｖ，３Ｗに、当該相に対応するマグネットワイヤを所定の態様で巻回することによって、ティース部３Ｕ，３Ｖ，３Ｗと、当該相に対応する巻線４Ｕ，４Ｖ，４Ｗとが一体となったユニットを形成し、その後、各ユニットのティース部３Ｕ，３Ｖ，３Ｗを環状部２に嵌合するようにしてもよい。
【００６１】
また、前述の実施形態では、環状部２の内周面７に嵌合凹部９が形成され、ティース部３Ｕ，３Ｖ，３Ｗの径方向外側の端部に嵌合凸部１１が形成された例について説明した。しかし、環状部２の内周面７に嵌合凸部１１が形成され、ティース部３Ｕ，３Ｖ，３Ｗの径方向外側の端部に嵌合凹部９が形成されることによって、ティース部３Ｕ，３Ｖ，３Ｗが環状部２に凹凸嵌合された形態が採用されてもよい。
【００６２】
また、前述の実施形態において、各相渡り線部１４Ｕ，１４Ｖ，１４Ｗの第２部分１６Ｕ，１６Ｖ，１６Ｗおよび第３部分１７Ｕ，１７Ｖ，１７Ｗの環状部２の第１環状端面５側からの並び順は、前述の実施形態とは異なる順序とされていてもよい。
その他、特許請求の範囲に記載された事項の範囲で種々の設計変更を施すことが可能である。
【符号の説明】
【００６３】
１…ステータ、２…環状部、３Ｕ，３Ｖ，３Ｗ…ティース部、４Ｕ，４Ｖ，４Ｗ…巻線、５…環状部の第１環状端面、６…環状部の第２環状端面、７…環状部の内周面、１３Ｕ，１３Ｖ，１３Ｗ…巻線の巻回部、１４Ｕ，１４Ｖ，１４Ｗ…巻線の渡り線部、１５Ｕ，１５Ｖ，１５Ｗ…渡り線部の第１部分、１６Ｕ，１６Ｖ，１６Ｗ…渡り線部の第２部分、１７Ｕ，１７Ｖ，１７Ｗ…渡り線部の第３部分、長さ…Ｌ１，Ｌ２，Ｌ３、嵌合部…ＰＵ，ＰＶ，ＰＷ
【図１】
2017201855.tif 000003
【図２】
2017201855.tif 000004
【図３】
2017201855.tif 000005
【図４】
2017201855.tif 000006
【図５】
2017201855.tif 000007
【図６】
2017201855.tif 000008